(57)【要約】【課題】　圧縮機を含む冷凍回路の非動作状態の間に圧縮機の駆動シャフトが駆動されたときに、圧縮仕事を減少させる可変容量型のクラッチレス冷媒圧縮機を提供すること。【解決手段】　駆動シャフト１９が駆動されないときに斜板２３の傾斜角の初期傾角を設定するためにストッパ２８が設けられている。冷凍回路が動作していない状態で、駆動シャフトが圧縮機１０の駆動動力源によって駆動されたときに、ストッパは前記圧縮機１０の圧縮仕事の増加に応答して前記設定角を減少させるように動作して、前記圧縮機１０の駆動力を節約するために前記圧縮仕事の増加を抑制する。【選択図】　　　図４
2004108361.tif 000002
【特許請求の範囲】
【請求項１】
　クランク室、ピストンを貫挿されたシリンダボア、吸入室、及び吐出室を有する圧縮機ハウジングと、
　外部駆動源によってクラッチを用いないで駆動されるための前記クランク室内に回転可能に延在して設けられた駆動シャフトと、
　前記駆動シャフト上に固定設置され、前記駆動シャフトとともに回転するロータと、
　前記駆動シャフトの周囲の一角度位置で、ヒンジ機構を介して前記ロータに連結され、前記駆動シャフトと垂直な平面に対して予め定められた最大傾角とほぼ０度に等しい予め定められた最小傾角との間で変化する傾斜角を有する斜板であって、傾斜しながら前記ロータとともに回転することにより首振り運動を行う前記斜板と、
　前記ピストンに結合され、吸入室を介して導入された冷媒の圧縮を行い、前記吐出室を介して圧縮された冷媒を冷凍回路に放出するために、前記首振り運動を前記ピストンの往復運動に変換するための変換機構と、
　前記圧縮機の圧縮容量を制御するようピストンストロークを調整するために前記斜板の傾斜角を変化させるべく前記クランク室内のガス圧を制御するための制御手段とを備え、更に，
　前記駆動シャフトが外部駆動源によって駆動されないで、停止しているときの前記斜板の傾斜角を、予め定められた最小傾角よりも大きな選択された初期傾角に設定する初期傾角設定手段と、
　前記駆動シャフトが前記外部駆動源によって駆動された後に、前記圧縮機の圧縮仕事が増大したときに、前記初期初期傾角設定手段を解放するための解放手段とを備えていることを特徴とするクラッチレス冷媒圧縮機。
【請求項２】
　請求項１記載のクラッチレス冷媒圧縮機において、前記斜板をその傾斜角が予め定められた最小傾角となるように付勢する付勢力（Ａ）を与える付勢部材を備え，前記初期傾角設定手段は、前記駆動シャフトが前記外部駆動源によって駆動されないときに、前記駆動軸上で、前記斜板の前記付勢力（Ａ）による傾斜角の変化を停止させるための前記駆動軸上の初期位置に搭載され、前記斜板の傾斜角の初期傾角を設定するためのストッパであって、前記駆動軸上の位置が可変である前記ストッパを有することを特徴とするクラッチレス冷媒圧縮機。
【請求項３】
　請求項１又は２に記載のクラッチレス冷媒圧縮機において、前記解放手段は、前記圧縮機の圧縮仕事に対応する物理ファクタを検出するための検出器と、
　前記検出器と前記初期傾角設定手段に接続され、検出された前記物理ファクタが圧縮仕事の増加を示すときに、前記初期傾角設定手段を解放するためのドライバとを備えていることを特徴とするクラッチレス冷媒圧縮機。
【請求項４】
　請求項３記載のクラッチレス冷媒圧縮機において、検出された前記物理ファクタが前記圧縮仕事の増加を示すときに、前記ドライバは、前記斜板が前記付勢力（Ａ）によって前記初期傾角から予め定められた最小傾角に移動可能とするために、前記ストッパを前記初期位置から前記駆動軸の方向に駆動することを特徴とするクラッチレス冷媒圧縮機。
【請求項５】
　請求項1乃至４の内のいずれか一つに記載のクラッチレス冷媒圧縮機において、前記圧縮機の前記圧縮仕事のファクタは前記駆動シャフトの回転速度であることを特徴とするクラッチレス冷媒圧縮機。
【請求項６】
　請求項３記載のクラッチレス冷媒圧縮機において、前記検出器は、前記圧縮機の圧縮仕事に結果する前記駆動軸の回転速度を感知するための回転速度センサーであることを特徴とするクラッチレス冷媒圧縮機。
【請求項７】
　請求項６記載のクラッチレス冷媒圧縮機において、前記駆動シャフト上で前記斜板に関して前記ロータと反対側の位置に固定設置された固定リングを備えており、前記固定リングは前記斜板に対向する一側面を備え、該一側面は、前記ヒンジの角位置において前記一側面から前記ロータまでの前記駆動シャフトに沿った第１の間隔が、前記ヒンジ角位置と反対側の角位置において前記一側面から前記ロータまでの前記駆動軸に沿った第２の間隔よりも小さくなるように、傾斜しており、
　前記解放手段は、
　前記ヒンジ角位置に対応する角位置において前記固定リングの外表面に搭載されたバネと、
　断面楔形状を有し、前記駆動シャフトの周囲に配置され、前記バネによって弾性的に支持されており、前記固定リングの一側面に対応するとともにこれと接触する傾斜面を備えるとともに、その反対側の面を備えた楔状リングとを有し、
　前記楔状リングは、その重量が前記駆動シャフト周りで不均一であり、前記楔状リングの前記ヒンジ角位置の側の半分の方が、他方の半分よりも小さく設定され、前記楔状のリングは、前記駆動シャフトとともに回転することによって生じる遠心力（Ｂ）によって前記バネの支持力に対抗して、前記固定リングの前記一側面に沿って径方向に移動し、
　前記ストッパーは、前記楔状リングの前記反対側の面上の位置に突出部として形成され、前記ストッパは、前記遠心力（Ｂ）による前記楔状リングの動作によって、前記駆動軸方向に移動することを特徴とするクラッチレス冷媒圧縮機。
【請求項８】
　請求項３記載のクラッチレス冷媒圧縮機において、前記ドライバは、前記駆動シャフトに固定設置された固定磁気コア、前記固定磁気コアに巻回された電線コイル、及び前記ストッパを備え前記固定磁気コアに対して前記駆動軸の方向に可動である可動磁気コアとを備えた電磁ソレノイド、および前記電線コイルに結合され、前記検出器によって検出された前記物理ファクタに応答して前記電線コイルを励磁もしくは消磁するためのソレノイドドライバを備えていることを特徴とするクラッチレス冷媒圧縮機。
【請求項９】
　請求項８記載のクラッチレス冷媒圧縮機において、前記電磁ソレノイドはさらに、前記ストッパが初期位置にあるように前記可動磁気コアを付勢する付勢バネを備え、前記ソレノイドドライバは前記電線コイルを通常の状態では励磁しないが、検出された前記物理ファクタが前記ファクタの予め定められたレベルを超えて増加することが検出されたときに、前記電線コイルを励磁して前記ストッパを初期位置から前記駆動軸方向に前記コア付勢バネの付勢力に抗して移動させ、それによって、前記斜板が前記付勢力（Ａ）によって前記初期傾角から予め定められた最小傾角に移動可能とすることを特徴とするクラッチレス冷媒圧縮機。
【請求項１０】
　請求項８記載のクラッチレス冷媒圧縮機において、前記電磁ソレノイドは、さらに、前記ストッパが前記初期位置よりも前記ロータから離れた遠隔位置にあるように、可動磁気コアを付勢するコア付勢バネを備え、前記ソレノイドドライバは、通常の状態においては、前記電線コイルを励磁して前記コア付勢力に抗して前記ストッパを前記初期位置に保持するが、検出された前記物理ファクタが前記ファクタの予め定められたレベルを超えて増加することが検出されたときに、前記電線コイルの励磁を解除して前記ストッパを初期位置から前記駆動軸方向へ前記コア付勢バネの付勢力によって、移動し、それによって、前記斜板が前記初期角から予め定められた最小角へ、前記付勢力（Ａ）によって移動可能とすることを特徴とするクラッチレス冷媒圧縮機。
【請求項１１】
　請求項８乃至１０の内のいずれか一つに記載のクラッチレス冷媒圧縮機において、前記検出器は前記吐出室内の圧力を検出するための圧力センサであることを特徴とするクラッチレス冷媒圧縮機。
【請求項１２】
　請求項８乃至１０の内のいずれか一つに記載のクラッチレス冷媒圧縮機において、前記検出器は前記吐出室と前記吸入室との圧力差を検出する圧力センサであることを特徴とするクラッチレス冷媒圧縮機。
【請求項１３】
　請求項８乃至１０の内のいずれか一つに記載のクラッチレス冷媒圧縮機において、前記検出器は前記圧縮機の温度を検出する温度センサであることを特徴とするクラッチレス冷媒圧縮機。
【請求項１４】
　請求項８乃至１０の内のいずれか一つに記載のクラッチレス冷媒圧縮機において、前記圧縮機には潤滑油が充填されており、前記検出器は前記潤滑油の温度を検出する温度センサであることを特徴とするクラッチレス冷媒圧縮機。
【請求項１５】
　請求項８乃至１０の内のいずれか一つに記載のクラッチレス冷媒圧縮機において、前記圧縮機には潤滑油が充填されており、前記検出器は前記潤滑油の粘度を検出する粘度センサであることを特徴とするクラッチレス冷媒圧縮機。
【請求項１６】
　請求項８乃至１０の内のいずれか一つに記載のクラッチレス冷媒圧縮機において、前記検出器は前記圧縮機の周囲温度を検出する温度センサであることを特徴とするクラッチレス冷媒圧縮機。
【請求項１７】
　請求項８乃至１０の内のいずれか一つに記載のクラッチレス冷媒圧縮機において、前記圧縮機は自動車の空調システムに用いられ、前記検出器は前記自動車の車内の温度を検出する温度センサであることを特徴とするクラッチレス冷媒圧縮機。
【発明の詳細な説明】
【技術分野】
【０００１】
　本発明は、可変容量型クラッチレス冷媒圧縮機に関し、特に、クラッチレス冷媒圧縮機を用いた冷凍システムの停止の間にクラッチレス冷媒圧縮機の圧縮仕事を減少させるための改良に関するものである。
【背景技術】
【０００２】
　典型的な可変容量型のクラッチレス冷媒圧縮機は、特許文献１に開示されている。
【０００３】
　特許文献１に開示されたクラッチレス冷媒圧縮機は、斜板が駆動シャフトに垂直な面に対して予め定められた最大傾角と０度にほぼ等しい最小傾角との間で可変な傾斜角をもって前記駆動シャフトに結合されている回転斜板型である。斜板はシリンダボアに装着されたピストンに連結されており、傾斜角をもった回転によってシリンダボア中の前記ピストンを往復動させる。ピストンのストロークは傾斜角によって決定される。この傾斜角が予め定められた最大傾角の時には、最大となり、予め定められた最小傾角の時には、最小となる。斜板の傾斜角は、前記斜板が配置されたクランク室内のガス圧の変化によって変動する。圧縮機の圧縮容量を制御するために、容量制御弁は、斜板の傾斜角を調整するためのガス圧力を制御するために用いられる。斜板とピストンとを結合させるために、斜板の首振り運動をピストンの往復動へ変換するための変換機構が用いられる。変換機構として、二つのタイプが従来技術において知られている。一つのタイプは、ピストンに連結され、回転不能であるが、斜板上を摺動可能に支持されている揺動板タイプであり、もう一つは、２つの半球形状のシューがピストンに支持され、斜板の両面に摺動接触されているシュータイプである。
【０００４】
　可変容量型クラッチレス冷媒圧縮機は、通常は、自動車の空調システムの冷凍回路の冷媒圧縮機に用いられている。駆動シャフトは電磁クラッチを介さずに、ベルトとプーリを介して自動車エンジン出力に接続されている。それゆえ、駆動シャフトは、エンジンが駆動及び停止したときには、夫々回転及び停止を行う。
【０００５】
　圧縮機は、駆動シャフトが停止したときに、斜板が予め定められた最小傾角を保つように設計されている。エンジンが駆動シャフトを駆動し始めるときには、傾斜角が、予め定められた最小傾角からなめらかに且つ急激に増加することが要求されている。このような要求に応えるために、特許文献１には、斜板が最小傾角で回転し始めるときに、この傾斜角が増加するように斜板を動かすモーメントを発生させるように、斜板が設計されていることを開示している。こうして、圧縮容量は心地よい空調を与えるための適切なレベルまでなめらかに且つすばやく増加する。
【０００６】
　しかしながら、自動車運転中でも、空調システムを切っている場合がしばしばある。このような場合、空調システムの冷凍回路が非動作中であっても、駆動シャフトは回転している。駆動シャフトの回転は、上記特許文献1にもあるように斜板の傾斜角の増加となる。これは、不必要な圧縮仕事が行われ、エンジン出力を浪費することを意味する。
【特許文献１】米国特許第５５７３３７９号明細書（特開平７−２９３４２９５号公報）
【発明の開示】
【発明が解決しようとする課題】
【０００７】
　本発明の目的は、圧縮機を含む冷凍回路の非動作状態の間に、圧縮機の駆動シャフトが駆動されたときに、圧縮仕事を減少させる可変容量型のクラッチレス冷媒圧縮機を提供することにある。
【課題を解決するための手段】
【０００８】
　本発明によれば、
　クランク室、ピストンを貫挿されたシリンダボア、吸入室、及び吐出室を有する圧縮機ハウジングと、
　外部駆動源によってクラッチを用いないで駆動されるための前記クランク室内に回転可能に延在して設けられた駆動シャフトと、
　前記駆動シャフト上に固定設置され、前記駆動シャフトとともに回転するロータと、
　前記駆動シャフトの周囲の一角度位置で、ヒンジ機構を介して前記ロータに連結され、前記駆動シャフトと垂直な平面に対して予め定められた最大傾角とほぼ０度に等しい予め定められた最小傾角との間で変化する傾斜角を有する斜板であって、傾斜しながら前記ロータとともに回転することにより首振り運動を行う前記斜板と、
　前記ピストンに結合され、吸入室を介して導入された冷媒の圧縮を行い、前記吐出室を介して圧縮された冷媒を冷凍回路に放出するために、前記首振り運動をピストンの往復運動に変換するための変換機構と、
　前記圧縮機の圧縮容量を制御するようピストンストロークを調整するために前記斜板の傾斜角を変化させるべく前記クランク室内のガス圧を制御するための制御手段とを備え、更に，
　前記駆動シャフトが外部駆動源によって駆動されないで、停止しているときの前記斜板の傾斜角を、予め定められた最小傾角よりも大きな選択された初期傾角に設定する初期傾角設定手段と、
　前記駆動シャフトが前記外部駆動源によって駆動された後に、前記圧縮機の圧縮仕事が増大したときに、前記初期傾角設定手段を解放するための解放手段とを備えていることを特徴とするクラッチレス冷媒圧縮機
が得られる。
【発明の効果】
【０００９】
　本発明によれば、圧縮機を含む冷凍回路の非動作状態の間に圧縮機の駆動シャフトが駆動されたときでも、圧縮機の圧縮仕事を減少させることができるので、エンジンなどの外部駆動源のエネルギーの浪費を避けることができる。
【発明を実施するための最良の形態】
【００１０】
　図１は本発明の第１の実施の形態による圧縮機を示す断面図である。図１を参照して、本発明の第１の実施の形態による可変容量型クラッチレス冷媒圧縮機１０について述べる。圧縮機は１０は、フロントハウジング１１ａ、シリンダブロック１１ｂ、及びシリンダヘッド１１ｃを備えた圧縮機ハウジング１１を備えている。圧縮機ハウジング１１は、その中にクランク室１２、複数のシンリンダボア（一つのみ示す）１３と、吸入室１４、及び吐出室１５を備えている。吸入室１４と吐出室１５は、圧縮機１０を冷凍回路に接続するための流入口１６及び流出口１７を夫々備えている。
【００１１】
　ピストン（一つを示す）１８はシンリンダボア１３内に収容され、シリンダボア内を往復動する。
【００１２】
　駆動シャフト１９はクランク室１２内にシリンダボア１３及びピストン１８に平行な方向に延在し、圧縮機ハウジング１１内にベアリング１９ａ，１９ｂによって回転可能に支持されている。駆動シャフト１９は圧縮機ハウジング１１のフロントハウジング１１ａから外側に突出した軸端部２０を有する。軸端部２０は駆動シャフト１９を回転させるための駆動力を受けるために、外部駆動源（図示せず）にプーリ２１とベルト（図示せず）を介して接続するために設けられている。
【００１３】
　ロータ２２は、駆動シャフト１９とともに回転するように、クランク室１２内の駆動シャフト１９に固定設置されている。
【００１４】
　斜板２３は、駆動シャフト１９の周囲に配置され、ヒンジ結合２４によって、駆動シャフト１９の周囲のヒンジ角位置としての角位置でロータ２２に接続されている。従って、斜板２３はロータ２２とともに回転し、駆動シャフト１９の駆動軸に垂直な平面から傾斜されうる。斜板２３は、ロータ２２と共に回転することによって傾斜角を持って首振り運動を行う。斜板２３の傾斜角は、ほぼ０度に等しい予め定められた最小傾角と、予め定められた最大傾角との間で変動可能に構成されている。
【００１５】
　付勢部材２５は、ロータ２２と斜板２３との間の駆動シャフト１９の周囲に設置され、斜板２３の傾斜角が予め定められた最小傾角となるように斜板２３を付勢するための付勢力Ａ（図２参照）を与える。
【００１６】
　結合機構又は変換機構は、斜板２３の首振り運動をピストン１８の往復動に変換するために斜板２３をピストン１８に接続する。結合機構は、斜板２３の外周縁部２３ａと、各ピストンの後端部１８ａと、斜板２３の外周縁部の両側に摺接し、ピストン１８の後端部１８ａに保持される半球状のシュー２６で構成される。
【００１７】
　制御弁あるいは制御機構２７は、クランク室１２内の圧力を調整して付勢部材２５と協同もしくはこれに抗して斜板２３の傾斜角を制御し、それによって圧縮機の容量を制御するために、シリンダヘッド１１ｃ内に備えられている。制御弁２７はクランク室１２に、第１の小通路２７ａを介して連通しており、また、第２の小通路２７ｂを介して吐出室１５に連通している。制御弁２７は吐出室１５およびクランク室１２間の第１及び第２の小通路２７ａ，２７ｂを介した連絡を制御し、それによってクランク室１２内の圧力を調整する。
【００１８】
　上述した圧縮機１０は従来技術と同様である。
【００１９】
　本発明によれば、圧縮機１０は更に、駆動軸１９が外部駆動源によって駆動されていなくて停止しているとき斜板２３の傾斜角を初期傾角（θ１）に設定するための初期傾角設定手段を備えている。初期傾角は予め定められた最小傾角よりも大きくなるように選択される。圧縮機１０は、また、前記駆動シャフトが外部駆動源によって駆動された後、圧縮仕事が増加した時に、初期傾角設定手段を解放するための解放手段を備えている。
【００２０】
　初期傾角設定手段として、ストッパ２８は、駆動シャフト１９の駆動軸上の予め定められた初期位置に設置され、駆動シャフト１９が外部駆動源によって駆動されない時に、前記斜板２３の付勢部材２５からの付勢力Ａによる傾斜角の変化を停止させ、斜板２３を初期傾角として予め定められた傾斜角に保持する。ストッパ２８は駆動軸上で位置可変である。初期傾角は、斜板２３の傾斜角の予め定められた最小傾角よりも大きな角度を選択可能である。
【００２１】
　前記解放手段は、圧縮機の圧縮仕事に対応する物理ファクタを検出するための検出器を有し、更に、前記ストッパと前記検出器とに接続され、検出された物理ファクタが圧縮仕事の増加を示すときに、前記ストッパを初期位置から、駆動軸方向に駆動し、それによって、斜板２３を付勢部材２５からの付勢力によって、初期傾角から予め定められた最小傾角まで動作するためのドライバを備えている。
【００２２】
　検出器は、圧縮機の圧縮仕事となる駆動シャフトの回転速度を感知するための回転速度センサである。
【００２３】
　図２は、斜板の回転していない状態での斜板の初期傾角を決定するための図１に示す圧縮機の主要部分の拡大部分断面図、図３は斜板が増加した回転速度で回転するときの初期傾角を解放した状態を示す図２の主要部の断面図である。
【００２４】
　図２及び図３を参照して、固定リング２９は、駆動軸上においてロータ２２の斜板２３に関して反対側の位置で駆動シャフト１９上に固定設置されている。固定リング２９は、斜板２３に対面する側面２９ａを備えている。側面２９ａは、前記ヒンジ角位置において側面２９ａからロータ２２までの駆動シャフト１９に沿った第１の距離が、前記ヒンジ角位置と反対側の角位置において側面２９ａからロータ２２までの駆動シャフト１９に沿った第２の距離よりも小さい。楔形状を断面を備えた楔状リング３１は駆動シャフト１９の周囲に配置され、前記ヒンジ角位置に対応する角位置で固定リング２９の外側面上に搭載されたバネ３０によって弾性支持されている。楔状リング３１は、固定リング２９の側面２９ａに対応し、且つそれに接触する傾斜側面３１ａを有し、さらに、その反対面３１ｂを有している。楔状のリング３１の重量は、駆動シャフト１９の周囲で不均一である。楔状リング３１の前記ヒンジ角位置の側の半分は、他の半分よりも重量が小さい。図３に示すように、楔状リング３１は、駆動シャフト１９とともに回転することによって生じる遠心力（Ｂ）によって、バネ３０の支持力に抗して前記ヒンジ角位置とは反対側の角位置方向に向かうように、固定リング２９の側面２９ａに沿って直径方向に移動する。ストッパ２８は楔状のリング３１の前記反対側面３１ｂ上の位置に突出物として形成されている。ストッパ２９は、遠心力Ｂによる楔状のリング３１の動作により、駆動軸の方向に動かされる。したがって、前記スプリング３０及び楔形リング３１は、前記解放手段として機能する。
【００２５】
　図４及び図５は本発明の第２の実施の形態による圧縮機における主要部分を示す、図２及び図３と同様の状態を示す断面図である。
【００２６】
　図４及び図５を参照して、ドライバは、駆動シャフト１９上に固定されて搭載された固定磁気コア４３、固定磁気コア４３に巻回された電線コイル４４、及び固定磁気コア４３に関して駆動軸方向に移動可能である可動磁気コア４５を備えた電磁ソレノイド４２を有しており、可動磁気コア４５はストッパ２８を有している。ドライバはさらに、検出器４０によって検出された物理ファクタに応答して電線コイル４４の励磁及び消磁を行う電線コイル４４に接続されたソレノイドドライバ４１を備えている。検出器４０は吐出室１５内の圧力を検出する圧力センサである。
【００２７】
　電磁ソレノイド４２は更に、ストッパ２８を初期位置にあるように可動磁気コア４５を付勢するためのコア付勢バネ４６を有している。図４に示すように、通常は、ソレノイドドライバ４１は電線コイル４４を励磁しない。
【００２８】
　図５を参照して、ソレノイドドライバ４１は、検出された物理ファクタがこのファクタの予め定められたレベルを超えて増加すると判定されたときに、電線コイル４４を励磁し、初期位置から駆動軸方向にコア付勢バネ４６の付勢力に抗して移動させ、それによって、斜板２３は、前記初期傾角から予め定められた最小傾角に移動することができる。
【００２９】
　図６及び図７は、本発明の第３の実施の形態による圧縮機の主要部分を示す断面図で、図４および図５と同様の図である。
【００３０】
　図６及び図７に示す実施の形態においては、図４及び図５と同様な構成部品は同じ参照符号で示され、同様な検出器４０及びソレノイドドライバ４１は図面を簡略化するために省略されている。この実施の形態においては、コア付勢バネ４６は、ストッパ２８がロータ２２から初期位置よりも離れた位置にあるように可動磁気コア４５を付勢する。ソレノイドドライバ４１は通常の状態では、図６に示すように、電線コイル４４を励磁してコア付勢バネ４６に抗してストッパ２８を初期位置に保持する。
【００３１】
　図７を参照して、検出された物理ファクタがこのファクタの予め定められたレベルを超えて増加すると、ソレノイドドライバ４１は電線コイルの励磁を解いてストッパ２８を初期位置から駆動軸方向にコア付勢バネ４６の付勢力によって移動させ、それによって、斜板２３が初期傾角から予め定められた最小傾角に、付勢力Ａによって移動することができる。
【００３２】
　図８及び図９は、本発明の第４の実施の形態による圧縮機の主要部分を示す断面図で、図４及び図５と同様の図である。
【００３３】
　図８及び図９に示す実施の形態は、図４及び図５に示すものとは、構造が異なるが動作は同じである。図４及び図５と同様な構成部品は同じ参照符号で示され、同様な検出器４０及びソレノイドドライバ４１は図面を簡略化するために省略されている。したがって、更なる説明は省略する。
【００３４】
　図４乃至図９の実施の形態に関連して、検出器４０として種々のセンサが圧縮機１０の圧縮仕事に対応する物理ファクタの検出に用いられる。
【００３５】
　検出器４０は吐出室１５と、吸入室１４との間の圧力差を検出するための圧力センサを用いることもできる。
【００３６】
　また、検出器４０は、圧縮機１０の温度を検出するための温度センサを用いることもできる。
【００３７】
　圧縮機１０は、潤滑油をその中に蓄えている。従って、検出器４０は、圧縮機１０の温度を検出する温度センサ、あるいは、潤滑油の粘度を検出する粘度センサであっても良い。
【００３８】
　検出器４０は、また、圧縮機１０の周りの周囲温度を検出する温度センサであっても良い。
【００３９】
　クラッチレス冷媒圧縮機は自動車の空調システムに用いられる。従って、検出器４０は自動車の車内の温度を検出する温度センサであっても良い。
【００４０】
　上記の実施例において、空調機の冷凍回路の動作中にストッパ２８が、その初期位置から後方に移動して予め定められた最小傾角ヘ移動可能とされる場合が、しばしば、ある。しかしながら、その動作中では、制御バルブ或いは制御機構２７が、容量制御のために斜板２３の傾斜角度を制御している。ストッパ２８はこの容量制御には影響を与えない。
【００４１】
初期傾角は、ストッパ２８の初期位置を選ぶことによって、所望の角度に設定可能である。したがって、圧縮機の滑らかで急速な起動特性を実現することは容易である。
【図面の簡単な説明】
【００４２】
【図１】本発明の第１の実施の形態による圧縮機を示す断面図である。
【図２】斜板の回転していない状態での斜板の初期傾斜角を決定するための図１に示す圧縮機の主要部分の拡大部分断面図である。
【図３】斜板が増加した回転速度で回転するときの初期傾角を開放した状態を示す図２の主要部の断面図である。
【図４】本発明の第２の実施の形態による圧縮機のおける主要部分の断面図で、図２と同様の状態を示す図である。
【図５】図４の主要部分の図３と同様の状態を示す図である。
【図６】本発明の第３の実施の形態による圧縮機の主要部分を示す断面図で、図４と同様の図である。
【図７】図６の圧縮機の主要部分を示す断面図で、図５と同様の図である。
【図８】本発明の第４の実施の形態による圧縮機の主要部分を示す断面図で、図４と同様の図である。
【図９】図８の主要部分を示す図で、図５と同様の図である。
【符号の説明】
【００４３】
　　１０　　可変容量型クラッチレス冷媒圧縮機
　　１１　　圧縮機ハウジング
　　１１ａ　　フロントハウジング
　　１１ｂ　　シリンダブロック
　　１１ｃ　　シリンダヘッド
　　１２　　クランク室
　　１３　　シンリンダボア
　　１４　　吸入室
　　１５　　吐出室
　　１６　　流入口
　　１７　　流出口
　　１８　　ピストン
　　１８ａ　　後端部
　　１９　　駆動シャフト
　　１９ａ，１９ｂ　　ベアリング
　　２０　　軸端部
　　２１　　プーリ
　　２２　　ロータ
　　２３　　斜板
　　２５　　付勢部材
　　２６　　シュー
　　２７　　制御機構
　　２７ａ　　第１の小通路
　　２７ｂ　　第２の小通路
　　２８　　ストッパ
　　２９　　固定リング
　　２９ａ　　側面
　　３０　　バネ
　　３１　　楔状のリング
　　３１ａ　　傾斜側面
　　３１ｂ　反対側面
　　４０　　検出器
　　４１　　ソレノイドドライバ
　　４２　　電磁ソレノイド
　　４３　　固定磁気コア
　　４４　　電線コイル
　　４５　　可動磁気コア
　　４６　　コア付勢バネ
【図１】
2004108361.tif 000003
【図２】
2004108361.tif 000004
【図３】
2004108361.tif 000005
【図４】
2004108361.tif 000006
【図５】
2004108361.tif 000007
【図６】
2004108361.tif 000008
【図７】
2004108361.tif 000009
【図８】
2004108361.tif 000010
【図９】
2004108361.tif 000011